(57)【特許請求の範囲】
【請求項１】
マシン本体内にコインを投入してプレイを行うことができるスロットルマシンであって、複数枚のコインを縦列載置するレールとレール端部の縦置きコインが挿通し本体内に投入される長方形状入り口を持つ第１投入口と、横にしたコインを複数枚載置できる筒状口を持つ第２投入口とを有し、該第２投入口は、該第２投入口内の底部に横置き載置された複数枚コインの最下段コインを１枚ずつ切り出して本体内に投入する切り出し装置を設けたことを特徴とするスロットマシン。
【請求項２】
前記第２投入口は、該投入口内の底部がコイン複数枚を横置き載置できる前記筒状口で、底部から順次上部にいくに従い拡がる略漏斗状の底面と内側壁を持った開口部を呈し、該開口部内に無作為にコインを投入できることを特徴とする請求項１記載のスロットマシン。
【請求項３】
前記第１投入口と第２投入口とは隣接して設け、前記第１投入口に投入されたコイン出口と前記第２投入口に投入されたコイン出口とは互いに繋がった出口通路を経てマシン本体内に投入されることを特徴とする請求項１乃至２記載のスロットマシン。
【請求項４】
前記第２投入口の切り出し装置は、該第２投入口底部の筒状内側壁にコインを切出し側にコイン１枚分が挿通する長方形状の切出し穴と、第２投入口内最下段のコイン１枚を前記切出し穴方向へ押出す押出し装置と、からなることを特徴とする請求項１乃至３記載のスロットマシン。
【請求項５】
前記第２投入口内の最下段のコイン１枚を前記切出し穴の方向へ押出す押出し装置は、前記第２投入口の内側壁から外方に突き出る押し釦を外方からの遊戯者の操作によって行われることを特徴とする請求項１乃至４記載のスロットマシン。
【発明の詳細な説明】
【０００１】
【発明が属する技術分野】
本発明はスロットマシンのコイン投入装置に関する。より詳しくはコインを縦に１枚ずつ投入する投入口と、横置きコインを同時に多数枚投入して押し和の操作で１枚ずつ本体内に投入する二つのコイン投入口を有したスロットマシンに関する。
【０００２】
【従来の技術】
例えば図８に実開平４−４７４７９号に開示されたスロットマシンのコイン投入装置４ｈを示す。スロットルマシンに応じたコインを使用してゲームを楽しむスロットマシンは通常１回のゲームに複数枚のコインが投入可能に設定されている。例えば図８のコイン投入装置では、コインをスロットマシン又は購入したコインを受皿から掴み取り、手の平の上でコインを縦列並びに整列させ、コイン投入装置の保持レール４ｆ上に縦列並びに載置し、コインの端部を背面壁４ａ側に押して、投入口４ｇから１枚ずつ落下させ、マシン本体内にコインを投入する。投入口４ｇは１枚のコインが挿通する長方形状の背面壁４ａ、前壁４ｄ、側壁４ｂ、４ｃで囲われた穴に形成されている。
【０００３】
【特許文献１】
実開平４−４７４７９号公報（第１図、第２図）
【０００４】
【発明が解決しようとする課題】
上記従来の技術は、プレイに不慣れな遊技者や手の機能に障害のある遊技者には、手の平上でコインを整列させて縦列に整列させたり、整列したコインを手に持ってレール４ｆ上に載置したり、またレール上に載置したコインの端部を投入口４ｇ側へ押して１枚ずつ投入口４ｇから落下させる操作は、簡単なようでも非常に難しい操作を要し、細かな手指の動きを必要としていた。このため上記、ゲーム初心者や又は手に障害のある者にとっては、ゲームに熟達した者に比べて相当大きなハンディがあり、初心者も熟練者も、又は障害者も健常者も平等にゲームを楽しめる好ましい装置とはいえなかった。
本発明は、ゲームの初心者であっても、また手の機能に障害のある遊戯者であっても、それほど大きなハンディなくゲームを楽しめ、また熟達者がゲームをしても急速な操作が行えず、初心者も熟達者も平等にゲームが行えるスロットマシンを提供することを目的とする。
【０００５】
【課題を解決するための手段】
上記課題を解決するために本発明は、マシン本体内にコインを投入してプレイを行うことができるスロットルマシンであって、複数枚のコインを縦列載置するレールとレール端部の縦置きコインが挿通し本体内に投入される長方形状入り口を持つ第１投入口と、横にしたコインを複数枚載置できる筒状口を持つ第２投入口とを有し、該第２投入口は、該第２投入口内の底部に横置き載置された複数枚コインの最下段コインを１枚ずつ切り出して本体内に投入する切り出し装置を設けたことを特徴とするスロットマシンである。
【０００６】
本発明は上記の構成であるから、遊戯者は自分の好みに応じてコインを投入することができる。通常ゲームに熟達した遊戯者は縦列載置して投入する第１投入口を選択するだろうし、不慣れな者や手に障害のある者にとっては縦列載置は困難で、複数枚を横置き載置してから１枚毎に切出す、比較的コイン操作が必要でない第２投入口を選択できる。第２投入口はコインを横置きに載置するので扱いやすい。また、投入操作に置いては切り出し装置で１枚ずつ切り出されるので、熟達者がこの第２投入口を選択したとしても大きく急激なコイン投入操作が行えず、従って、初心者も熟達者も平等にゲームが行えるスロットマシンである。
【０００７】
上記の切り出し装置としては、コインの厚みと同等又は小さい厚みの押し片で押し圧してもよく、左右に払い出してもよく、草刈り鎌のように引き寄せてもよく、またベルトコンベアにコインを載置しコンベアベルトを所定距離動かせて積み重ねたコインの最下面１枚を切り出すようにしてもよい。
上記の第２投入口としては、第２投入口内の底部がコイン複数枚を横置き載置できる筒状口で、底部から順次上部にいくに従い拡がる略漏斗状の底面と内側壁を持った開口部を呈し、該開口部内に無作為にコインを投入できることを特徴とするスロットマシンである。拡径された開口部は筒状の周囲全体から拡がる漏斗形状でもよく、また実施例に記載したように筒状の一方向へ拡がる略三角おむすび形状になった開口部を備えてもよい。
【０００８】
第２投入口は上記のように、コインを入れる開口部が漏斗状に大きく拡がっており、比較的コインを投入するのが容易で、受け皿内のコインを手で掴んだ状態で、そのまま無作為に第２投入口に投入することが可能である。また投入されたコインは下方に行くに従って順次底部に落下し、底部の筒状部で整列され、整列状態のなったコインは底部の切り出し装置で１枚ずつ切り出され、本体内に投入される。このため初心者や手に障害のある者でも比較的容易にコイン投入操作が行える。
【０００９】
本発明の第１投入口と第２投入口とは隣接して設け、前記第１投入口に投入されたコイン出口と前記第２投入口に投入されたコイン出口とは互いに繋がった出口通路を経てマシン本体内に投入されることを特徴とするスロットマシンである。
【００１０】
上記のように第１投入口の排出路と第２投入口の排出路とは同じ通路で繋がっており、投入口も隣接しているので比較的省スペースでマシン本体内に設置でき、また遊戯者にとっても、比較的同じ位置に第１投入口と第２投入口があり、迷わずにゲームを楽しむことができる。
【００１１】
本発明における第２投入口の切り出し装置は、該第２投入口底部の筒状内側壁にコインを切出し側にコイン１枚分が挿通する長方形状の切出し穴と、第２投入口内最下段のコイン１枚を前記切出し穴方向へ押出す押出し装置と、からなることを特徴とするスロットマシンである。
【００１２】
上記のように本発明の切り出し装置は、第２投入口の底部でコインを切出し側にコイン１枚分が挿通する長方形状の切出し穴と、第２投入口内最下段のコイン１枚を前記切出し穴方向へ押出す押出し装置とからなっているので、確実に１枚ずつ投入口内に横置きに載置されたコインを切り出される。また同時に複数枚のコインを切り出すことがないから、熟達者であっても初心者であっても大きなスピード差が生じず、平等にゲームが行われる。
【００１３】
本発明における第２投入口内の最下段のコイン１枚を前記切出し穴の方向へ押出す押出し装置は、前記第２投入口の内側壁から外方に突き出る押釦を外方からの遊戯者の操作によって行われることを特徴とするスロットマシンである。
本発明は上記のように、第２投入口の側壁から外方に突き出す押釦の操作によって、第２投入口内に投入されたコインが切り出されるから、手の機能に障害があっても、単純な押し操作でコインを切り出すことができ、比較的容易にコイン投入操作が行えるものである。
【００１４】
【発明の実施の形態】
次に、本発明の実施の形態を図１から図７を参考にして詳細に説明する。図１は本発明のコイン投入装置の左手前方から見た斜視図、図２は本発明のコイン投入装置を機台左手前方側から見た分解斜視図、図３は本発明のコイン投入装置を機台右手後方側から見た分解斜視図、図４は本発明のコイン投入装置の正面図、図５は本発明のコイン投入装置の平面図、第６図は本発明のコイン投入装置の側面図、第７図はＡ−Ａ線断面図である。
【００１５】
図１は本発明のスロットマシンに設けたコイン投入装置で、組み立てた状態を示し、全体としてコインケース１と、ケース台２と、図３に示す切り出し装置８と、基台３とからなり、コインケース１の上部に第１投入口４と第２投入口５を備えて、第１投入口４に投入されたコインも第２投入口５に投入されたコインも同じ基台３の排出口１５からスロットマシン本体内に投入される。
コインケース１とケース台２は図２図３で示すごとく、コインケース１下面の嵌合突起５ａ’をケース台２上面の嵌合孔１０ｂに嵌合させ、その後取付孔１０ａにボルト等を挿通して、ケース台２上にコインケース１を位置決め固定している。コインケース１の下面及びケース台２の上面にはそれぞれ半円状溝８ｂ、９ｄを設け、半円状溝８ｂ、９ｄを合わせて押釦挿通孔１１を形成し、切り出し装置８の操作用押釦１３を装着している。
【００１６】
コインケース１には、コインを縦列載置して一枚ずつ投入可能な第１投入口４と、同時に多数のコインを無造作に投入し横置き載置されたコインを１枚ずつ切り出し投入する第２投入口５の開口部が設けられている。
第１投入口４は、背面壁４ａ及び左右一対の側壁４ｂ、４ｃと前壁４ｄからなる長方形状の挿通穴４ｅとして構成される。第１投入口４は、凹溝状のコイン保持レール４ｆに縦列したコインを載置し、縦列コインの元端部側から右手親指等でコインを背面壁４ａ側に押し又は往復動させて、先端側コイン１枚ずつを第１投入口４に落下し、落下したコインは図３で示すごとく、第１投入口４のコイン挿通穴４ｅの下方に、湾曲したスライドプレート１４が配置され、スライドプレート１４の排出口１５へ、第１投入口４の挿通穴４ｅから落下したコインが直接落下する様に設けてある。
前記背面壁４ａは、遊技者が複数のコインを手で持ち挿通穴４ｅに投入する際、コインを凹溝状の保持レール４ｆに縦列載置して、載置したコインの端部を挿通穴４ｅ側に押し当てる壁４ａであり、そのため背面壁４ａの最上部は前壁４ｄの最も低い箇所よりコイン直径の三分の二程度高く設けてある。背面壁４ａ及び前壁４ｄは下方に向かう程、第２投入口から離れる方向に傾斜しており、コイン挿通穴４ｅが傾斜した通路となって、基台３の排出口１５に落下するように設けてある。
【００１７】
図１，図２で示す第２投入口５の開口部は、前記第１投入口４の側部に配置され、第２投入口５の端部においてコインの直径よりやや大きめの筒状口５ｂを形成してコイン収納部１２とすると共に、図５で示すごとく、筒状口５ｂから一方向に拡がる、コイン直径の約１．５倍長さの半円で投入側壁５ａを配設し、筒状口５ｂと投入側壁５ａ間を側壁５ｃ、５ｄで繋ぎ第２投入口５を形成する。第２投入口５の底面は、端部を最上位置とし筒状口５ｂに向かって傾斜する傾斜投入底面６を形成している。該傾斜投入底面６に続いてより傾斜が急な案内面７を設ける。また側壁５ａ、５ｂ、５ｃの内側下端部と傾斜投入底面６との間に斜面６ａ、６ｂ、６ｃを設ける。また側壁５ｃ、５ｄと案内面７間には、斜面７ｂ、７ｃを設ける。なお投入側壁５ａ、５ｃ、５ｄは図２，図３で示すケース台２の上部プレート１０迄延びている。
【００１８】
第２投入口５の端部に配置される筒状口５ｂの最上部と案内面７の最下端部７ａはコインの直径よりやや大きな円を構成し、その下方には図３で示す基台３のプレート３ａからコイン１．５枚程度の間隔をあけて、コイン１枚が通過する切り出し穴をケース台２の上面肉厚１０ｃで形成している。
図２、図３において、側壁５ｅと外壁８ａは一体成形され、筒状口５ｂの壁に嵌入溝（図示せず）を設け、両端部に嵌合片５ｅ’を配置した側壁５ｅを嵌入自在に配置する。側壁５ｅの嵌合片５ｅ’を図示しない嵌入溝に嵌合すると、側壁５ｅは側壁５ｂ、５ｄと同一の湾曲した面を構成する。なお外壁８ａは周りの外壁より僅かに低い面となる。一体に設けられた側壁５ｅ及び外壁８ａは、透明な樹脂で成形され、コイン収納部１２のコイン保持状態が分かるようになっている。
尚、上記実施例はスロットマシンに設置するスペースの問題から筒状口５ｂの一方向に拡大する第２投入口５としたが、コイン収納部１２の筒状口５ｂの周囲全体にわたって例えば漏斗状に上記側壁や底面を形成して、コイン投入開口部を更に大きくした第２投入口５とすることも可能で、このようにするとよりコインの投入が容易になる。
【００１９】
図３において、コインケース１が嵌着するケース台２の図示右端位置に、左右一対の側壁２ｂ、２ｃ、前壁２ｄからなる第２挿通穴２ａを設ける。第２挿通穴２ａの前記各壁２ｂ、２ｃ、２ｄの上端部は、コインケース１の第１投入口４の挿通穴４ｅに通じ、下端は基台３のスライドプレート１４先端の排出口１５に通じている。排出口１５は側壁１５ａ、１５ｂ、１５ｃで形成され、第１投入口４から直接落下投入されるコイン及び、第２投入口５から切り出し装置８で切り出されたコインがスライドプレート１４を介して落下するコインの両方を兼ねている。排出口１５から図示省略したスロットマシン本体内にコインが投入される。図２、３のごとく、ケース台２の上方に第２挿通穴２ａの上端部と同一平面の上部プレート１０を配置する。上部プレート１０の外周端部にスカート状に拡がる周壁９ａ、９ｂ、９ｃを設け、下端部は上部プレート１０の外周端部から下方が広がりを有するように傾斜し且つ湾曲した面で構成される。ケース台２には支柱１６を設け、支柱１６の下端部に螺刻した穿設孔（図示せず）を設け、該穿設孔を基台３に設けた固着片３ｄの貫通孔３ｄ’に当接させて、ケース台２と基台３をボルトで螺着固定している。
【００２０】
図２、図３に切り出し装置の一例を示し、切り出し装置８は、基台３の左手側にＬ字形のアングル３ｂ、３ｃを設け、アングル３ｂ、３ｃに貫通孔３ｂ’、３ｃ’を設け、該貫通孔３ｂ’、３ｃ’にボルトを貫通してスロットマシンの筐体縁部（図示せず）に螺着固定している。また、アングル３ｂ、３ｃは基台３のプレート３ａに溶着している。プレート３ａは機台前方側から機台後方側に図示で左側から右側へ向かって傾斜する。図３において、プレート３ａの端には壁３ｇが設けられ、壁３ｇの内側に切り出し装置８の第１レバ１７を保持するブロック２２を、機台前方側に間隔を有して２個２２ａ、２２ｂを配置する。機台前後方向又は左右方向に押し圧摺動される第１レバ１７の第１端部１７ａに前記の押釦１３を嵌着し、第１レバ１７の第２端部１７ｂは短い第２レバ１８の第１端部１８ａに直角に当接する。
【００２１】
機台前後方向又は左右方向に摺動される第１レバ１７と直角の位置に配置される短い第２レバ１８は、中央部１８ｃがピン２４を支点としてプレート３ａのピン穴３ｅに嵌入し、回動自在に支持されている。そして、第２レバ１８の第２端部１８ｂは、第３レバ２０の突部１９に係止し、第３レバ２０は支点２０ｃでピン２５に挿通してプレート３ａのピン穴３ｆに回転自在に支持されている。
【００２２】
上記第３レバ２０はコインの押し片２１とコイン保持片２０ｂを有し、このＬ字間に図３のごとくコインが保持される。保持片２０ｂはコイン保持側に少し湾曲しており、押し片２１との間でコインがずれ落ちないように保持されている。第３レバ２０の厚みはコインの厚みとほぼ同等で、２０ｃを支点として図示右方向に第２レバ１８の端部１８ｂで押され、回転するようにコインを切り出し側に押し、同時にコイン保持片２０ｂがコインを解放して、スライドプレート１４側の排出口１５へ、ケース台２の厚みで形成される長方形状の切り出し穴を通って切り出され、排出口１５からスロットマシン本体内にコインが投入される。
第３レバ２０のＬ字形基端部２０ａに係止片２６を固着し、図示省略したコイルバネを係止させて図示左側方向に引っ張っており、常に第３レバ２０の突部１９が第２レバ１８と平行の位置になるように付勢している。
【００２３】
第２投入口５に投入されたコインは、傾斜投入底面６の傾斜によって案内面７へ移動し、続いて筒状口５ｂを有すコイン収納部１２へ落下する。コイン収納部１２は第２投入口５に無造作に投入されたコインを２〜１０枚程度、横置きでコインが積重ねられた状態で保持される。コイン収納部１２内の一番下に位置するコインは、図３の切り出し装置８における第３レバ２０のコイン押し片２１とコイン保持片２０ｂ内に保持される。
図２，図３において、押釦１３をコインケース１側に押すと、第３レバ２０は支点２０ｃを中心に右回動し、コインは押し片２１によって図示右方向に押され、湾曲したコイン保持片２０ｂがコインを解放してスライドプレート１４側に移動し、更に排出口１５へ排出する。
押し釦１３を離すと、係止片２６に配設したスプリングの付勢力で第３レバ２０が戻されて図３の様に元の位置に復帰する。これにより上部筒状口５ｂからのコインが第３レバ２０コイン保持部間に落下して収まり、同時に第２レバ１８及び第１レバ１７も元の位置に復帰するので、第１レバ１７の第１端部１７ａに装着した押釦１３も突出した位置に自動的に戻る。遊技者は押釦１３を押すのみで、その都度１枚のコインをスロットマシン本体内に投入することができる。
【００２４】
【発明の効果】
本発明は上記のように構成されているので、スロットゲームの初心者であっても、また手の機能に障害のある遊技者であっても、それほど大きなハンディなくコインを投入することが可能でゲームを楽しめ、また熟達者がゲームをしても急速な投入操作が行えず、初心者も熟達者も平等にゲームが行える。更に遊技者は２カ所の異なるコイン投入口を選択して使用でき、遊技者の好みや技量に応じて支障なく安心してプレイを楽しむことができる。
【図面の簡単な説明】
【図１】  本発明の実施例を示すコイン投入装置の左手前方側から見た斜視図である。
【図２】  本発明の実施例を示すコイン投入装置の左手前方側から見た分解斜視図である。
【図３】  本発明の実施例を示すコイン投入装置の右手後方側から見た分解斜視図である。
【図４】  本発明の実施例を示すコイン投入装置の正面図である。
【図５】  本発明実施例のコイン投入装置の平面図である。
【図６】  本発明実施例のコイン投入装置の側面図である。
【図７】  本発明実施例のコイン投入装置のＡ−Ａ線断面図である。
【図８】  従来技術を示すスロットマシンのコイン投入装置である。
【符号の説明】
１；コインケース、２；ケース台、２ａ；第２第２挿通穴、２ｂ，２ｃ，；側壁、２ｄ；前壁、３；基台、３ａ；プレート、３ｂ，３ｃ；アングル、３ｄ；固着片、３ｅ，３ｆ；穿設孔、３ｇ；側壁、３ｂ’，３ｃ’，３ｄ’；貫通孔、４；第１投入口、４ａ；背面壁、４ｂ，４ｃ；側壁、４ｄ；前壁、４ｅ；スリット、４ｆ；コイン保持レール、５；第２投入口、５ａ，５ｂ，５ｃ，５ｄ，５ｅ；側壁、５ａ’，５ｅ’；嵌合突起、６；傾斜投入底面、６ａ，６ｂ，６ｃ；斜面、７；案内面、７ａ；最下流端部、７ｂ，７ｃ；斜面、７ｄ；湾曲壁、８；切り出し装置、８ａ；外壁、８ｂ；溝、９；周壁、９ａ，９ｂ，９ｃ；周壁、９ｄ；溝、１０；上部プレート、１０ａ；取付孔、１０ｂ；位置決め孔、１０ｃ；ケース台の肉厚、１１；孔、１２；コイン収納部、１３；押釦、１４；スライドプレート、１５；排出口、１５ａ；後壁、１５ｂ，１５ｃ；側壁、１６；支柱、１７；第１レバ、１８；第２レバ、１９；突部、２０；第３レバ、２０ｂ；コイン保持部、２１；コイン押し片；１８ｃ，２０ｃ；支点、２２，２３；ブロック、２４，２５；ピン軸、２６；係止片。
【図１】
0003816864.tif 000002
【図２】
0003816864.tif 000003
【図３】
0003816864.tif 000004
【図４】
0003816864.tif 000005
【図５】
0003816864.tif 000006
【図６】
0003816864.tif 000007
【図７】
0003816864.tif 000008
【図８】
0003816864.tif 000009